(57)【要約】【課題】装飾性及び利便性を向上させた名刺カバーを提供することである。【解決手段】名刺カバーは、折り曲げ線で折り曲げられた透明かつ矩形のシートにカラー印刷を施して構成される。折り曲げ線で折り曲げられる一方のシートの部分と他方のシートの部分の双方の表面にカラー印刷が施され、シートを折り曲げ線で完全に折り曲げた状態で名刺を挟み込むと名刺の両面がシートで保護される一方、シートを不完全に折り曲げた状態にすると一方のシートの部分の縁と、他方のシートの部分の縁を利用して卓上に置くことができ、かつシートで完全又は不完全に名刺が挟み込まれている場合には、カラー印刷と名刺の印刷を組合わせて見ることができる一方、シートで名刺が挟み込まれていない場合には、一方のシートの部分に施されたカラー印刷と、他方のシートの部分に施されたカラー印刷を組合わせて見ることができるようにした。【選択図】  図１
0003221312.tif 000002
【実用新案登録請求の範囲】
【請求項１】
折り曲げ線で一旦折り曲げると、前記折り曲げ線が残存しつつ前記折り曲げ線を境界として閉じたり開いたりすることが可能なシート状の合成樹脂から成る透明かつ矩形のシートを、１枚の名刺を挟み込むことができるように前記折り曲げ線で折り曲げ、谷折り側となる表面にカラー印刷を施して構成される名刺カバーであって、
前記折り曲げ線で折り曲げられる一方のシートの部分と他方のシートの部分の双方の前記谷折り側となる表面に、少なくとも前記一方のシートの部分に透明な部分が生じるように前記カラー印刷が施され、
前記シートを前記折り曲げ線で完全に折り曲げた状態で前記名刺を挟み込むと前記名刺の側面以外が露出しないように前記名刺の両面が前記シートで保護される一方、前記シートを不完全に折り曲げた状態にすると前記一方のシートの部分の縁と、前記他方のシートの部分の縁を利用して卓上に置くことができ、かつ
前記シートで完全又は不完全に前記名刺が挟み込まれている場合には、前記カラー印刷と前記透明な部分から透けて見える前記名刺の印刷を組合わせて見ることができる一方、前記シートで前記名刺が挟み込まれていない場合には、前記一方のシートの部分に施された前記カラー印刷と、前記透明な部分から透けて見える前記他方のシートの部分に施された前記カラー印刷を組合わせて見ることができるようにした名刺カバー。
【考案の詳細な説明】
【技術分野】
【０００１】
本考案の実施形態は、名刺カバーに関する。
【背景技術】
【０００２】
従来、名刺を収納できるようにした折畳式のシート、名刺にメモを追記できるようにした事務用品、名刺を収納するための折畳式のケース等が考案されている（例えば特許文献１乃至４参照）。
【先行技術文献】
【特許文献】
【０００３】
【特許文献１】実用新案登録第３０４０２０６号公報
【特許文献２】実用新案登録第３１５５６１０号公報
【特許文献３】実用新案登録第３１６３４２５号公報
【特許文献４】実用新案登録第３１９８５８１号公報
【考案の概要】
【考案が解決しようとする課題】
【０００４】
本考案は、装飾性又は利便性を向上させた名刺カバーを提供することを目的とする。
【課題を解決するための手段】
【０００５】
本考案の実施形態に係る名刺カバーは、折り曲げ線で一旦折り曲げると、前記折り曲げ線が残存しつつ前記折り曲げ線を境界として閉じたり開いたりすることが可能なシート状の合成樹脂から成る透明かつ矩形のシートを、１枚の名刺を挟み込むことができるように前記折り曲げ線で折り曲げ、谷折り側となる表面にカラー印刷を施して構成される名刺カバーであって、前記折り曲げ線で折り曲げられる一方のシートの部分と他方のシートの部分の双方の前記谷折り側となる表面に、少なくとも前記一方のシートの部分に透明な部分が生じるように前記カラー印刷が施され、前記シートを前記折り曲げ線で完全に折り曲げた状態で前記名刺を挟み込むと前記名刺の側面以外が露出しないように前記名刺の両面が前記シートで保護される一方、前記シートを不完全に折り曲げた状態にすると前記一方のシートの部分の縁と、前記他方のシートの部分の縁を利用して卓上に置くことができ、かつ前記シートで完全又は不完全に前記名刺が挟み込まれている場合には、前記カラー印刷と前記透明な部分から透けて見える前記名刺の印刷を組合わせて見ることができる一方、前記シートで前記名刺が挟み込まれていない場合には、前記一方のシートの部分に施された前記カラー印刷と、前記透明な部分から透けて見える前記他方のシートの部分に施された前記カラー印刷を組合わせて見ることができるようにしたものである。
【考案の効果】
【０００６】
本考案の実施形態に係る名刺カバーによれば、装飾性又は利便性を向上させることができる。
【図面の簡単な説明】
【０００７】
【図１】本考案の実施形態に係る名刺カバーの斜視図。
【図２】図１に示す名刺カバーの正面図。
【図３】図２に示す名刺カバーの背面図。
【図４】図２に示す名刺カバーの右側面図。
【図５】図２に示す名刺カバーに名刺が挟み込まれていない場合における名刺カバーの正面図。
【図６】図１に示す名刺カバーを折り曲げ線で完全に折り曲げた状態を示す斜視図。
【考案を実施するための形態】
【０００８】
本考案の実施形態に係る名刺カバーについて添付図面を参照して説明する。
【０００９】
（構成及び機能）
図１は本考案の実施形態に係る名刺カバーの斜視図、図２は図１に示す名刺カバーの正面図、図３は図２に示す名刺カバーの背面図、図４は図２に示す名刺カバーの右側面図である。
【００１０】
名刺カバー１は、１枚の名刺２を挟み込むことができるように、折り曲げ線３で折り曲げられた透明かつ矩形の透明シート４で構成される。透明シート４は、折り曲げ線３で一旦折り曲げると、折り曲げ線３が残存しつつ折り曲げ線３を境界として閉じたり開いたりすることが可能なシート状の合成樹脂（高分子化合物）から成る。折り曲げ線３で折り曲げられる一方の第１のシートの部分４Ａと、他方の第２のシートの部分４Ｂのサイズは互いに略同じであり、名刺２のサイズに若干のマージンを設けたサイズとされる。
【００１１】
このため、図１乃至図３に例示されるように、透明シート４を不完全に折り曲げた状態にすると第１のシートの部分４Ａの縁４Ｃと、第２のシートの部分４Ｂの縁４Ｄを利用してテーブルや机の卓上に置くことができる。すなわち、透明シート４をある程度開くと、第１のシートの部分４Ａの縁４Ｃと、第２のシートの部分４Ｂの縁４Ｄを卓上に接触させて名刺カバー１を立てることができる。また、不完全に折り曲げた状態の第１のシートの部分４Ａと、第２のシートの部分４Ｂとの間に名刺２を配置することができる。
【００１２】
折り曲げ線３で折り曲げられる一方の第１のシートの部分４Ａと、他方の第２のシートの部分４Ｂの双方の表面には、カラー印刷５Ａ、５Ｂが施される。但し、少なくとも第１のシートの部分４Ａに透明な部分４Ｅが生じるようにカラー印刷５Ａ、５Ｂが施される。図示された例では、第１のシートの部分４Ａと、第２のシートの部分４Ｂの双方に、透明な部分４Ｅが生じるようにカラー印刷５Ａ、５Ｂが施されている。尚。一旦折り曲げると、折り目が残り、かつカラー印刷に適した合成樹脂の例としては、ＰＥＴ（ポリエチレンテレフタラート）が挙げられる。
【００１３】
第１のシートの部分４Ａ及び第２のシートの部分４Ｂの表面には、例えば、名画等の装飾性を付与するためのカラー印刷５Ａ、５Ｂを施すことができる。或いは、文字や文章等の情報を付加することによって利便性を向上させるためのカラー印刷５Ａ、５Ｂを施すようにしても良い。
【００１４】
カラー印刷５Ａ、５Ｂを施す面は、内面及び外面のいずれであっても良い。但し、第１のシートの部分４Ａ及び第２のシートの部分４Ｂの谷折り側となる表面にカラー印刷５Ａ、５Ｂを施せば、透明シート４の片面印刷と、折り曲げ工程で名刺カバー１を製作できるため、名刺カバー１の製作が容易となる。加えて、ユーザが触る可能性が高い透明シート４の山折り側となる表面の触感を透明シート４自体の滑らかな触感とする一方、カラー印刷５Ａ、５Ｂが施された面をユーザが触る可能性が低い透明シート４の谷折り側としてカラー印刷５Ａ、５Ｂが剥がれ難くすることができる。そこで、以降では、透明シート４の内面側にカラー印刷５Ａ、５Ｂが施される場合を例に説明する。
【００１５】
図示されるように透明シート４で不完全に名刺２が挟み込まれている場合には、名刺カバー１を卓上に配置し、少なくとも第１のシートの部分４Ａの内面に施されたカラー印刷５Ａと、第１のシートの部分４Ａの透明な部分４Ｅから透けて見える名刺２の印刷６を組合わせて見ることができる。このため、カラー印刷５Ａが装飾性の付与を目的として施されている場合であれば、名刺２をカラー印刷５Ａで装飾することができる。また、情報の付加を目的としてカラー印刷５Ａが施されている場合であれば、名刺２に情報を付加することができる。加えて、名刺２を立てることができるため、名刺２の印刷６を卓上で容易に閲覧することが可能となる。もちろん、背面側についても、第２のシートの部分４Ｂの透明な部分４Ｅから透けて見える名刺２の印刷６と、第２のシートの部分４Ｂの内面に施されたカラー印刷５Ｂとを、組合わせて見ることができるようにしても良い。
【００１６】
図５は、図２に示す名刺カバー１に名刺２が挟み込まれていない場合における名刺カバー１の正面図である。
【００１７】
透明シート４で名刺２が挟み込まれていない場合には、図５に例示されるように、第１のシートの部分４Ａに施されたカラー印刷５Ａと、第１のシートの部分４Ａの透明な部分４Ｅから透けて見える第２のシートの部分４Ｂの内面側に施されたカラー印刷５Ｂを組合わせて見ることができる。特に、透明シート４を不完全に折り曲げた状態では、第１のシートの部分４Ａに施されたカラー印刷５Ａと、第２のシートの部分４Ｂに施されたカラー印刷５Ｂが、同一平面上に無い。このため、同一平面上の印刷を並べて見る場合に比べて立体感が向上する。
【００１８】
図６は、図１に示す名刺カバー１を折り曲げ線３で完全に折り曲げた状態を示す斜視図である。
【００１９】
図６に例示されるように透明シート４を折り曲げ線３で完全に折り曲げた状態で名刺２を挟み込むと、名刺２の側面以外が露出しないように名刺２の両面を透明シート４で保護することができる。このため、名刺２が汚れたり、折れ曲がったりすることを防止することができる。また、他人に名刺２を渡す時には、透明シート４で完全に挟んだ状態で手渡すこともできる。
【００２０】
透明シート４で完全に名刺２が挟み込まれている場合においても、少なくとも第１のシートの部分４Ａの内面に施されたカラー印刷５Ａと、第１のシートの部分４Ａの透明な部分４Ｅから透けて見える名刺２の印刷６を組合わせて見ることができる。このため、カラー印刷５Ａが装飾性の付与を目的として施されている場合であれば、名刺カバー１で名刺２が装飾された状態で名刺２を手渡すことができる。また、情報の付加を目的としてカラー印刷５Ａが施されている場合であれば、名刺カバー１で名刺２に情報を付加した状態で名刺２を手渡すことができる。
【００２１】
（効果）
以上の名刺カバー１によれば、名刺２の印刷６と、透明シート４のカラー印刷５Ａ、５Ｂを組合わせることによって名刺２を装飾したり、名刺２に情報を付加することができる。また、透明シート４を閉じれば、名刺２を保護できる一方、透明シート４を開けば、卓上に置くことができる。
【符号の説明】
【００２２】
１  名刺カバー
２  名刺
３  折り曲げ線
４  透明シート
４Ａ  第１のシートの部分
４Ｂ  第２のシートの部分
４Ｃ  第１のシートの部分の縁
４Ｄ  第２のシートの部分の縁
４Ｅ  透明な部分
５Ａ、５Ｂ  カラー印刷
６  印刷
【図１】
0003221312.tif 000003
【図２】
0003221312.tif 000004
【図３】
0003221312.tif 000005
【図４】
0003221312.tif 000006
【図５】
0003221312.tif 000007
【図６】
0003221312.tif 000008